(57)【要約】      （修正有）【課題】  建設途中のマンション等の高層建築物において、各階のコンクリートスラブを貫通して形成されるスラブ孔を経て雨水等が侵入し、その結果階下のコンクリートスラブが水浸しになる問題がある。従来、このスラブ孔を塞いでおくための蓋あるいは止水具は、装着、取り外しが面倒であった。このような問題がないスラブ孔の蓋を提供する。【解決手段】  コンクリートスラブＣの上面側において、スラブ孔１０の開口部の周囲を囲んだ状態で、コンクリートスラブの上面に設置される環状のシール部材２２と、シール部材に載せ掛けてシール部材をコンクリートスラブの上面に密着させた状態でスラブ孔の上方を閉塞する蓋部材２１を備えた蓋とする。【選択図】        図４
2005048520.tif 000002
【特許請求の範囲】
【請求項１】
コンクリートスラブを貫通して設けられたスラブ孔のスラブ上面側の開口部の周囲を囲んだ状態で、前記コンクリートスラブの上面に設置される環状のシール部材と、該シール部材に載せ掛けて該シール部材を前記コンクリートスラブの上面に密着させた状態で前記スラブ孔の上方を閉塞する蓋部材を備えたスラブ孔の蓋。
【請求項２】
請求項１記載の蓋であって、シール部材として、弾性を有する円環形状のゴムリングを用いる構成としたスラブ孔の蓋。
【請求項３】
請求項１記載の蓋であって、蓋部材に鉄板を用い、その自重によりシール部材をコンクリートスラブの上面に密着させる構成としたスラブ孔の蓋。
【請求項４】
請求項１記載の蓋であって、蓋部材とシール部材を別体とし、該シール部材はスラブ孔に対する設置形状を任意に変更可能な構成としたスラブ孔の蓋。
【発明の詳細な説明】
【技術分野】
【０００１】
この発明は、例えば集合住宅や高層マンション等の高層建築物に主として排水立て管を配管するために、各階を区画するコンクリートスラブに貫通して設けられる孔（以下、「スラブ孔」という）を建設途中の段階で一時的に塞いでおくための蓋に関する。
【背景技術】
【０００２】
高層建築物では各階のコンクリートスラブを貫通して排水立て管が上下に配管されるため、各階のコンクリートスラブには排水立て管および排水管継手を挿通するためのスラブ孔が設けられている。このスラブ孔は、建築物の建設段階であってスラブ打設時に設けられる。
また、排水管に限らず、給水管あるいは例えば空調用のダクトや電気配線等を挿通するめのチューブ等が各階を上下に貫通して配管される場合があり、この場合にもダクトやチューブを挿通するめのスラブ孔がコンクリートスラブの適所に貫通して設けられる場合もある。
このような目的でコンクリートスラブの打設時に予め設けられるスラブ孔は、排水立て管あるいは排水管継手等が配管施工されるまでの間、雨ざらしの状態で放置されることも珍しくない。このため、建物内に降り込んだ雨水等がスラブ孔を経て下階へ流れ込む場合があり、その結果下階が水浸しになってその後の作業に支障を来したり、また下階に搬入した資材や下階に設置した設備あるいは備品等が水浸しになって使い物にならなくなってしまう問題があった。
従来この問題を解消するために、スラブ孔を塞ぐための蓋あるいは止水具等が提供されていた。
【特許文献１】特開平１１−１８２０３６号公報
【発明の開示】
【発明が解決しようとする課題】
【０００３】
しかしながら、従来の蓋は、スラブ孔に対する脱着が面倒である等の問題があった。
そこで、本発明では、スラブ孔に対して簡単に脱着することができるとともに、容易に再利用することができるスラブ孔の蓋を提供することを目的とする。
【課題を解決するための手段】
【０００４】
このため、本発明は、特許請求の範囲の各請求項に記載した構成の蓋とした。
請求項１記載の蓋によれば、円環形状のシール部材の内周側にスラブ孔を位置させた状態で当該シール部材をコンクリートスラブの上面に設置し、然る後蓋部材をスラブ孔の上方を塞ぐ状態でシール部材の上に載せ掛ける。これによりシール部材は蓋部材の自重によってコンクリートスラブの上面に押し付けられて密着される。このように、蓋部材とコンクリートスラブとの間に挟み込まれたシール部材によりスラブ孔の周囲が水密にシールされるので、当該スラブ孔内へ雨水等が浸水することがなく、従って階下に雨水が浸入することを防止することができる。
シール部材は、弾性に富んだ素材のものを用いることにより、コンクリートスラブの上面に凹凸が存在する場合等であって平坦面に仕上がっていない場合であっても、当該シール部材をコンクリートスラブの上面に密着させることができる。
スラブ孔の周囲にシール部材を設置し、さらにシール部材に蓋部材を載せ掛けてシール部材をコンクリートスラブに対して密着させるだけで、スラブ孔を水密にシールすることができるので、設置または除去作業が簡単であるとともに、様々な形態の現場に適用させることができので、取り扱い性および汎用性に優れている。
シール部材の長さおよび蓋部材の大きさ（面積）を適切に設定することにより、一箇所のスラブ孔に限らず、複数箇所のスラブ孔を一度に塞ぐことができる。シール部材は、例えば適度な長さに切断した断面形状が直径２０ミリメートル程度のゴム紐の両端部を接合して得ることができる。
【０００５】
請求項２記載の蓋によれば、蓋部材そのものの重量によりシール部材をコンクリートスラブに密着させることができる。また、入手しやすい鉄板を用いることにより、蓋の低コスト化を図ることができる。
【発明の効果】
【０００６】
この発明によれば、簡単な構成でスラブ孔を水密に塞ぐことができるので、階下への雨水の浸水を防止することができ、これにより施工現場の環境を良好に維持することができるとともに、建設資材等の損傷を未然に防ぐことができる。
【発明を実施するための最良の形態】
【０００７】
次に、本発明の実施形態を図１〜図７に基づいて説明する。図１には、施工完了後における排水立て管２，３の施工例が示されている。上流側の排水立て管２と下流側の排水立て管３は排水管継手１により接続されている。排水管継手１は、コンクリートスラブＣのスラブ孔１０を貫通した状態に固定されている。
この排水管継手１は、横枝管受け口１ｃを有する胴部１ａと、胴部１ａの上部に形成された上部受け口１ｂと、胴部１ａの下部に形成された下部接続口１ｄを備えている。上部受け口１ｂに上流側の排水立て管２の下端部が接続され、下部接続口１ｄに下流側の排水立て管３の上端部が接続されている。横枝管受け口１ｃには、横枝管４を介して大便器５が接続されている。
上記のような施工がなされる前の段階であって、コンクリートスラブＣのスラブ孔１０に排水立て管１が施工されていない状態が図２に示されている。図２は、コンクリートスラブＣの配管施工予定位置にスラブ孔１０が貫通して設けられた状態を示している。スラブ孔１０の大きさ（直径）は、取り付ける排水管継手１のサイズに合わせて適切に設定されている。このスラブ孔１０内に排水管継手１を位置させた状態で、当該スラブ孔１０内をモルタル等で埋め戻すことによりこの排水管継手１がコンクリートスラブＣに固定される。
コンクリートスラブＣに排水管継手１を固定する作業を行うまでの間、スラブ孔１０は図５および図６に示すように蓋２０によって水密に塞がれた状態とされる。
この蓋２０は、蓋部材２１とシール部材２２を備えている。図示するように蓋部材２１には、ほぼ正方形の板厚が例えば約１５ミリメートルの鉄板が用いられている。また、この蓋部材２１は、シール部材２２の全体（全長）に対して載せ掛けることができる大きさ（面積）を有している。
シール部材２２には、弾性ゴムを素材とし、断面が円形で円環形状のシールリングが用いられている。また、このシール部材２２には、コンクリートスラブＣの上面の凹凸の程度等に対応して適切な弾性ゴムの硬度および断面形状のものが用いられている。
この蓋２０は、先ず、シール部材２２をその内周側にスラブ孔１０を位置させる状態でコンクリートスラブＣの上面に設置し、然る後、図４に示すように蓋部材２１をシール部材２２に載せ掛けるようにしてスラブ孔１０の上方に設置し、これによりシール部材２２をコンクリートスラブＣと蓋部材２１との間に挟み込んだ状態とする。こうして、シール部材２２がコンクリートスラブＣと蓋部材２１との間に挟み込まれ、かつ蓋部材２１の重量が付加されることにより、シール部材２２は、コンクリートスラブＣの上面および蓋部材２１の下面に対してそれぞれ水密に密着された状態となる。
また、図示するようにコンクリートスラブＣの上面に、凹部３０や凸部３１が形成されているために当該コンクリートスラブＣの上面がきれいな平坦面には仕上がっていない場合には、これらの凹凸部３０，３１を例えば内周側に避けてシール部材２２を設置することが望ましい。このため、シール部材２２は、スラブ孔１０の周囲に対して充分に余裕のある長さのものを用いることが望ましい。
【０００８】
以上のように構成した本実施形態の蓋２０によれば、スラブ孔１０の周囲を取り囲むようにしてシール部材２２をコンクリートスラブＣの上面に設置し、こうして設置したシール部材２２に蓋部材２１を載せ掛けることにより、スラブ孔１０内に雨水等が侵入することを防止することができる。
また、シール部材２２には、弾性ゴムを素材とするゴムリングを用いる構成であるので、スラブ孔１０の位置および周囲の状況（凹凸部３０，３１の有無等）に合わせて任意に設置位置（設置形状）を変更して用いることができるので、様々な形態のスラブ孔に対して汎用性の高い蓋とすることができる。
さらに、シール部材２２はコンクリートスラブＣの上面に単に載置し、蓋部材２１はこの上に単に載置する構成であるので、スラブ孔１０に対する設置、取り外しを極めて簡単に行うことができ、また別のスラブ孔に対して容易に再利用することができる。
【０００９】
以上説明した実施形態には、種々変更を加えることができる。例えば、蓋部材２１とシール部材２２を別体とした構成を例示したが、蓋部材２１の下面側（スラブ孔１０に対向する側）にクリップ等を用い、あるいは接着によりシール部材を取り付けておき、両者を一体として取り扱う構成としてもよい。
また、一つのスラブ孔１０に対して用いる構成を例示したが、図６に示すように複数のスラブ孔１１〜１３を内周側に位置させた状態で一つのシール部材２３を設置し、その上に一枚の蓋部材２４を載置した構成の蓋３０としてもよい。
また、シール部材２２は円環形状（円形環状）に設置して用いる場合のほか、スラブ孔１０の周囲の状況によって三角形、四角形等の角形環状あるいはひょうたん型、楕円形状等様々な形状に設置して用いることもできる。このように、ゴムリング等の可撓性を有するシール部材を用いることにより、その設置形状を任意に変更することができ、この点で当該蓋の汎用性を高めることができる。
【００１０】
さらに、弾性ゴムを素材とするシール部材２２を例示したが、シール部材には例えば製図用の自在定規のような特性を有するもの、あるいは形状が変化しない硬質ゴムを素材とするものを用いることができる。また、シール部材には、弾性を有しない板材あるいは鋼板等を環状に結合したものを用いることができ、さらにはスラブ孔の周囲を囲う形状（設置形状）が固定されたもの（枠体）を用いることができる。この場合、必要ならば、現場の状況に応じて、シール部材の下面またはコンクリートスラブの上面に例えばコーキング剤を塗布しておくことにより両者の密着度を高めることができる。
蓋部材には、鉄板その他の金属板、木材、プラスチック板等を用いることができる。この蓋部材には適度な重量を持たせることにより、シール部材のコンクリートスラブに対する適当な密着度を確保することができる。蓋部材そのもののは軽量であっても、この蓋部材に重しを載せることにより同等の作用効果を得ることができる。
蓋部材は、平板形状を有するものの他、ブロック体をなすものであってもよい。この蓋部材は、シール部材の全体をコンクリートスラブに対して密着させるに足る面積を有するものであればよい。
また、例えば図７に示すように複数のスラブ孔１４〜１６に対して複数のシール部材２５，２６を設置し、これに対して一枚の蓋部材２７を載せ掛けた構成の蓋４０とすることもできる。
【図面の簡単な説明】
【００１１】
【図１】排水管施工完了後における排水管継手周辺の状態を示す側面図である。本図では、コンクリートスラブおよびスラブ孔が縦断面で示されている。
【図２】コンクリートスラブおよびスラブ孔の縦断面図である。
【図３】スラブ孔の周囲にシール部材を設置した状態を示す縦断面図である。
【図４】シール部材の上に蓋部材を載置した状態を示す縦断面図である。
【図５】スラブ孔に対して蓋を設置した状態の平面図である。本図は、蓋部材が二点鎖線で示され、蓋部材の下方が透視された状態で示されている。
【図６】複数のスラブ孔に対して蓋を設置した状態の平面図である。本図でも、蓋部材が二点鎖線で示され、蓋部材の下方が透視された状態で示されている。
【図７】別形態の蓋を示す図であって、複数のスラブ孔に対して複数のシール部材を設置し、これに対して一枚の蓋部材を載せ掛けた形態の蓋の平面図である。
【符号の説明】
【００１２】
Ｃ…コンクリートスラブ
１…排水管継手
２…排水立て管（上流側）
３…排水立て管（下流側）
４…横枝管
５…大便器
１０〜１６…スラブ孔
２０…蓋（第１実施例）
２１…蓋部材
２２，２３…シール部材
２４…蓋部材
２５，２６…シール部材
２７…蓋部材
３０…蓋（第２実施例）
４０…蓋（第３実施例）
【図１】
2005048520.tif 000003
【図２】
2005048520.tif 000004
【図３】
2005048520.tif 000005
【図４】
2005048520.tif 000006
【図５】
2005048520.tif 000007
【図６】
2005048520.tif 000008
【図７】
2005048520.tif 000009